(57)【要約】【課題】前方部及び後方部における液漏れを防止することが可能な吸収性物品に関する。【解決手段】吸収性物品は、吸収性コアを具備する。上記吸収性コアは、長手方向に相互に対向する前方コア部及び後方コア部と、上記前方コア部及び上記後方コア部の間に位置し上記前方コア部及び上記後方コア部よりも幅の狭い中間コア部と、を有する。上記中間コア部は、上記前方コア部及び上記後方コア部より高い坪量を有し、幅方向中央に形成された高坪量部と、上記前方コア部及び上記後方コア部より低い坪量を有し、上記高坪量部の周囲に形成された低坪量部と、を含む。【選択図】図５
2019103710.tif 000002
【特許請求の範囲】
【請求項１】
長手方向に相互に対向する前方コア部及び後方コア部と、前記前方コア部及び前記後方コア部の間に位置し前記前方コア部及び前記後方コア部よりも幅の狭い中間コア部と、を有する吸収性コアを具備し、
前記中間コア部は、
前記前方コア部及び前記後方コア部より高い坪量を有し、幅方向中央に形成された高坪量部と、
前記前方コア部及び前記後方コア部より低い坪量を有し、前記高坪量部の周囲に形成された低坪量部と、を含む
吸収性物品。
【請求項２】
請求項１に記載の吸収性物品であって、
前記高坪量部の前記長手方向端部は、先端に向かって幅が漸減する形状を有する
吸収性物品。
【請求項３】
請求項１又は２に記載の吸収性物品であって、
前記高坪量部は、前記長手方向に沿って前記中間コア部の長さ以下の長さを有し、
前記低坪量部は、前記高坪量部の周囲を囲んで形成される
吸収性物品。
【請求項４】
請求項１から３のうちいずれか一項に記載の吸収性物品であって、
前記前方コア部及び前記後方コア部の少なくとも一方は、前記中間コア部との間の境界部に隣接して形成され前記中間コア部に向かって幅が漸減するテーパ部を有する
吸収性物品。
【請求項５】
請求項１から４のうちいずれか一項に記載の吸収性物品であって、
前記吸収性コアは、
前記低坪量部より低い坪量を有し、前記前方コア部及び前記後方コア部の少なくとも一方と前記中間コア部との間に位置する境界溝部をさらに有する
吸収性物品。
【請求項６】
請求項１から５のうちいずれか一項に記載の吸収性物品であって、
前記吸収性コア上に配置された表面シートと、
前記表面シート及び前記吸収性コアに形成され、前記長手方向に延びて前記幅方向に相互に対向する一対の圧搾溝部と
をさらに具備し、
前記一対の圧搾溝部は、
前記幅方向内方に向かって相互に近接し、前記前方コア部及び前記後方コア部の少なくとも一方と前記中間コア部との間の境界部を含む境界領域に形成された少なくとも一対の括れ部を有する
吸収性物品。
【発明の詳細な説明】
【技術分野】
【０００１】
本発明は、生理用ナプキン等の吸収性物品に関する。
【背景技術】
【０００２】
就寝姿勢において生理用ナプキンを使用した場合、装着者との間に生じた隙間から液が後部等へ漏れやすい。このため、生理用ナプキン等の吸収性物品において、装着者に対するフィット性を高めるため、幅方向中央域に突出部を有する吸収性コアを設ける技術が知られている（特許文献１参照）。
【先行技術文献】
【特許文献】
【０００３】
【特許文献１】特開２０１４−１０４０９３号公報
【発明の概要】
【発明が解決しようとする課題】
【０００４】
一般に、人の股間幅は生理用ナプキンの幅よりも狭くなり得る。このため、装着者の排泄領域に対向する生理用ナプキンの中間部に幅方向内側へ向かう力が加わり、幅方向に圧縮される変形が生じやすい。さらに、このような圧縮変形に伴い、中間部の前方に位置する前方部及び後方に位置する後方部にも変形が生じやすい。
生理用ナプキンの前方部及び後方部にこのような変形が生じた場合、装着者との間に隙間が生じ、装着者の排泄領域から排泄された経血等の液状物が前方及び後方に流れやすい。このため、前方部及び後方部で液漏れが生じる場合がある。
【０００５】
本発明の課題は、前方部及び後方部における液漏れを防止することが可能な吸収性物品に関する。
【課題を解決するための手段】
【０００６】
本発明の一形態に係る吸収性物品は、吸収性コアを具備する。
上記吸収性コアは、長手方向に相互に対向する前方コア部及び後方コア部と、上記前方コア部及び上記後方コア部の間に位置し上記前方コア部及び上記後方コア部よりも幅の狭い中間コア部と、を有する。
上記中間コア部は、上記前方コア部及び上記後方コア部より高い坪量を有し、幅方向中央に形成された高坪量部と、上記前方コア部及び上記後方コア部より低い坪量を有し、上記高坪量部の周囲に形成された低坪量部と、を含む。
【発明の効果】
【０００７】
以上のように、本発明の吸収性物品によれば、前方部及び後方部における液漏れを防止することが可能となる。
【図面の簡単な説明】
【０００８】
【図１】本発明の第１の実施形態の吸収性物品を示す斜視図である。
【図２】上記吸収性物品の平面図である。
【図３】図２のIII−III線で切断した断面図である。
【図４】上記吸収性物品の吸収性コアを示す平面図である。
【図５】上記吸収性コアを示す模式的な側面図である。
【図６】上記吸収性コアの高坪量部の長手方向端部の構成例を模式的に示す平面図である。
【図７】上記吸収性コアのテーパ部を示す拡大平面図である。
【図８】上記吸収性コアに形成された圧搾溝部の構成を示す平面図である。
【図９】本発明の他の実施形態に係る吸収性物品の吸収性コアを模式的に示す平面図である。
【図１０】本発明のさらに他の実施形態に係る吸収性物品の吸収性コアを模式的に示す平面図である。
【発明を実施するための形態】
【０００９】
以下、図面を参照しながら、本発明の実施形態を説明する。
【００１０】
＜第１の実施形態＞
［ナプキンの全体構成］
図１は、本発明の一実施形態に係る吸収性物品１を示す斜視図である。図１では、Ｘ軸方向が前後方向、Ｙ軸方向が左右方向、Ｚ軸方向が上下方向にそれぞれ対応する。
図２は、吸収性物品１の平面図であり、図１に示す吸収性物品１をＸＹ平面に沿って引き延ばした態様を示す。図２に示す吸収性物品１では、Ｘ軸方向が長手方向、Ｙ軸方向が幅方向、Ｚ軸方向が厚み方向に対応する。以下、図２に示す態様において吸収性物品１を説明する。
本実施形態の吸収性物品１は、生理用ナプキンとして構成され、以下、ナプキン１と称する。
本実施形態のナプキン１は、就寝時に使用されてもよく、例えば長手方向に沿って３０ｃｍ以上の長さを有していてもよい。
【００１１】
ナプキン１は、本実施形態において、本体Ｍと、一対のウイング部Ｗと、一対のサイドガードＧと、一対の後方フラップ部Ｆと、を備える。
【００１２】
本体Ｍは、長手方向に延び、装着時に装着者の下着の内面（被装着面）に固定される。本体Ｍは、後述する吸収体を有しており、装着者の経血等の液状物（以下、「液」とも称する）を吸収する機能を有する。
本体Ｍは、長手方向に沿って区分された、前方領域Ｍ１と、中間領域Ｍ２と、後方領域Ｍ３とを有する。
前方領域Ｍ１は、中間領域Ｍ２の前方（装着者の腹側）に配置される領域であり、装着時に装着者の排泄領域の前方に対向するように構成される。
中間領域Ｍ２は、装着時に装着者の排泄領域に対向するように構成される。なお、中間領域Ｍ２は、図示のように本体Ｍの前方寄りに位置してもよいし、本体Ｍの中央部に位置してもよい。
後方領域Ｍ３は、中間領域Ｍ２の後方（装着者の背側）に配置される領域であり、装着時に装着者の排泄領域の後方に対向するように構成される。
【００１３】
ウイング部Ｗは、中間領域Ｍ２から幅方向の外側に大きく突出するように構成される。言い換えれば、長手方向においてウイング部Ｗが存在する範囲に中間領域Ｍ２が存在する。
サイドガードＧは、中間領域Ｍ２を含む本体Ｍの幅方向周縁において、長手方向に延びるように配置される。
後方フラップ部Ｆは、後方領域Ｍ３から幅方向の外方に膨出するように構成される。
なお、ナプキン１は、ウイング部Ｗ、サイドガードＧ、及び後方フラップ部Ｆのうちの少なくとも一つを有さなくてもよい。
【００１４】
［ナプキンの各部の構成］
図３は、図２のIII−III線で切断した断面図である。
ナプキン１は、吸収体１１と、表面シート１２と、裏面シート１３と、一対のサイドシート１４と、粘着部１５と、圧搾溝部１６と、を備える。本体Ｍにおいて、ナプキン１は、裏面シート１３、吸収体１１及び表面シート１２が積層された構成を有する。
【００１５】
吸収体１１は、Ｘ軸方向に長手方向を有し、ナプキン１の厚み方向中央部に配置される。吸収体１１は、液を表面シート１２側の面から吸収し、内部で拡散させて当該液を保持する。
吸収体１１は、吸収性コア２０とコアラップシート３０とを有する。
吸収性コア２０は、液を吸収及び保持する機能を有する。吸収性コア２０は、例えば、パルプ繊維等の親水性繊維で構成された繊維集合体で形成されてもよいし、当該繊維集合体に吸水性ポリマーを保持させた構成を有していてもよい。吸収性コア２０の詳細な構成については後述する。
コアラップシート３０は、吸収性コア２０を被覆し、例えば吸収性コア２０の形状を保持する機能等を有する。コアラップシート３０は、例えばティッシュペーパーのような薄く柔らかい紙や液透過性の不織布等で形成される。
【００１６】
表面シート１２は、液透過性のシート材として構成され、吸収体１１上に配置される。表面シート１２は、本体Ｍにおいてナプキン１の厚み方向上方の外面を構成する。
【００１７】
裏面シート１３は、吸収体１１を挟んで表面シート１２と厚み方向に対向して配置される。裏面シート１３は、ナプキン１の厚み方向下方の外面を構成する。裏面シート１３は、例えば周縁部において、表面シート１２及びサイドシート１４と接着剤、熱シール等によって接合される。
【００１８】
一対のサイドシート１４は、表面シート１２を挟んで幅方向に相互に対向し、ナプキン１の幅方向周縁に配置される。サイドガードＧは、幅方向外側に折り返されたサイドシート１４の折り返し部分１４１と表面シート接合部１４２との間に、長手方向に沿って配置された糸状弾性部材等の弾性部材１４３を含んで、肌面側へ起立可能に構成されている。サイドシート１４は、サイドガードＧの基部である表面シート接合部１４２において接着剤Ｂを用いて主面１２ａに接合される。
【００１９】
粘着部１５は、ナプキン１を下着に対して固定させるための構成であり、裏面シート１３の外面に形成される。粘着部１５は、例えば、本体Ｍに設けられる本体粘着部１５１と、ウイング部Ｗに設けられるウイング粘着部１５２と、後方フラップ部Ｆに設けられる後方フラップ粘着部（図示せず）と、を有する。
【００２０】
一対の圧搾溝部１６は、吸収体１１及び表面シート１２を圧搾加工することによって形成された線状溝として構成される。一対の圧搾溝部１６は、表面シート１２、コアラップシート３０及び吸収性コア２０に形成され、長手方向に延びて幅方向に相互に対向する。
一対の圧搾溝部１６は、本体Ｍを周回するように、前端部及び後端部で相互に連結されてもよい。圧搾溝部１６の詳細な構成については、後述する。
【００２１】
［吸収性コアの平面形状］
図４は、吸収性コア２０を示す平面図である。
吸収性コア２０は、長手方向に相互に対向する前方コア部２１及び後方コア部２３と、前方コア部２１及び後方コア部２３の間に位置する中間コア部２２と、を有する。前方コア部２１は前方領域Ｍ１に位置し、中間コア部２２は中間領域Ｍ２位置し、後方コア部２３は後方領域Ｍ３に位置する。吸収性コア２０は、幅方向において左右対称な平面形状を有する。
【００２２】
図４には、前方コア部２１、中間コア部２２、及び後方コア部２３の幅方向の寸法である幅Ｄ１，Ｄ２，Ｄ３が示されている。中間コア部２２は、前方コア部２１及び後方コア部２３の幅Ｄ１，Ｄ３よりも狭い幅Ｄ２を有する。つまり、吸収性コア２０は、中間コア部２２において幅方向に括れた平面形状を有する。
吸収性コア２０が幅狭な中間コア部２２を有することで、装着者の両脚が閉じ股間幅が狭くなった場合に、中間コア部２２に付加される幅方向内側への外力を低減させることができる。
【００２３】
前方コア部２１及び後方コア部２３の幅Ｄ１，Ｄ３は、好ましくは６０ｍｍ以上１００ｍｍ以下であり、より好ましくは７０ｍｍ以上９０ｍｍ以下である。
中間コア部２２の幅Ｄ２は、好ましくは４０ｍｍ以上７５ｍｍ以下であり、より好ましくは５０ｍｍ以上７０ｍｍ以下である。これにより、装着者の脚等により付加される幅方向内方へ向かう外力の影響を受けにくくなるとともに、幅方向の装着位置ずれにも対応可能となり、装着者に対して安心感を与えることができる。
【００２４】
中間コア部２２の長手方向の長さは、好ましくは６０ｍｍ以上１７０ｍｍ以下、より好ましくは８０ｍｍ以上１６０ｍｍ以下である。これにより、長手方向の装着位置ずれ等があった場合にも、中間コア部２２を装着者の排泄領域に対向させることができる。
【００２５】
本実施形態では、前方コア部２１の幅Ｄ１と後方コア部２３の幅Ｄ３とが同一である。しかし、前方コア部２１の幅Ｄ１と後方コア部２３の幅Ｄ３とが異なっていてもよい。また、前方コア部２１、中間コア部２２及び後方コア部２３それぞれの幅が均一でなくてもよい。この場合、前方コア部２１及び後方コア部２３の幅方向の最大寸法を幅Ｄ１，Ｄ３とし、中間コア部２２の幅方向の最少寸法をＤ２とすることができる。
【００２６】
なお、本実施形態において、前方コア部２１、中間コア部２２及び後方コア部２３は、低坪量の縦溝部２７、横溝部２８及び周縁溝部２９によりブロック状に分割されている。以下の説明において、前方コア部２１、中間コア部２２及び後方コア部２３の坪量は、各溝部２７，２８，２９を除くブロック部分の坪量をいうものとする。縦溝部２７、横溝部２８及び周縁溝部２９の構成については、後述する。
【００２７】
［吸収性コアの坪量分布］
図５は、吸収性コア２０の模式的な側面図である。
中間コア部２２は、高坪量部２４と、低坪量部２５とを含む。図４では、高坪量部２４を高密度のドットパターンで示し、低坪量部２５を低密度のドットパターンで示している。
【００２８】
高坪量部２４は、中間コア部２２の幅方向中央に形成され、装着時に装着者の排泄領域に対向するように配置される。高坪量部２４は、長手方向に相互に対向する前方端部２４ａ及び後方端部２４ｂを有し、長手方向に延びる。高坪量部２４の長手方向中間部の幅は、好ましくは１５ｍｍ以上６０ｍｍ以下であり、より好ましくは２０ｍｍ以上５０ｍｍ以下である。当該幅をこのような範囲とすることで、装着者の排泄領域へのフィット性を高め、かつ、十分な吸収量を確保することができる。
高坪量部２４は、長手方向に沿って中間コア部２２の長さ以下の長さを有しており、例えば、長手方向に沿って中間コア部２２と同一の長さを有する。
なお、以下の説明において、「前方端部２４ａ及び後方端部２４ｂ」を、「長手方向端部２４ａ，２４ｂ」又は「端部２４ａ，２４ｂ」とも称する。
【００２９】
高坪量部２４は、前方コア部２１及び後方コア部２３、並びに低坪量部２５より高い坪量を有する。このため、高坪量部２４は、低坪量部２５、前方コア部２１及び後方コア部２３から厚み方向上方に突出するように構成される。
【００３０】
低坪量部２５は、前方コア部２１及び後方コア部２３より低い坪量を有し、高坪量部２４の周囲に形成される。低坪量部２５は、高坪量部２４、前方コア部２１及び後方コア部２３の厚み方向の上面から下方に向かって沈み込むように構成される。なお、ここで「周囲」とは、少なくとも、高坪量部２４の幅方向外側を含む領域を意味する。また、低坪量部２５は、少なくともナプキン１の中間領域Ｍ２に存在していることが好ましい。
低坪量部２５は、本実施形態において、高坪量部２４の幅方向外側に、左右に分かれて配置される。
【００３１】
このように、吸収性コア２０では、低坪量部２５、前方コア部２１及び後方コア部２３、高坪量部２４の順に坪量が高くなるように構成される。
前方コア部２１及び後方コア部２３の坪量は、本実施形態において略同一である。しかし、前方コア部２１の坪量と後方コア部２３の坪量とが異なっていてもよい。この場合、前方コア部２１及び後方コア部２３のうち高い方の坪量が高坪量部２４の坪量よりも低く、前方コア部２１及び後方コア部２３のうち低い方の坪量が低坪量部２５の坪量よりも高ければよい。
また、坪量は剛性に相関する。このため、吸収性コア２０では、低坪量部２５、前方コア部２１及び後方コア部２３、高坪量部２４の順に剛性が高くなるように構成される。
【００３２】
本実施形態では、最も剛性の低い低坪量部２５が、中間コア部２２の幅方向外側に配置される。このため、装着者の脚等により幅方向内方へ向かう外力が付加された場合、低坪量部２５が大きく幅方向に圧縮変形する。
一方で、低坪量部２５の圧縮変形により、長手方向（Ｘ軸方向）の成分を含む張力（引っ張り力）が発生するが、低坪量部２５は剛性が低いため、前方コア部２１及び後方コア部２３を変形させるような大きな張力が発生しにくい。つまり、低坪量部２５は、幅方向内方へ向かう外力の緩衝領域として作用し、外力の影響が前方コア部２１及び後方コア部２３へ伝搬することを防止できる。これにより、前方コア部２１及び後方コア部２３において、厚み方向の上面の幅が圧縮される、又は上面が凹状に湾曲するといった外力に起因する変形を防止することができる。
したがって、前方コア部２１及び後方コア部２３において、装着者との間に隙間を生じさせる不適切な変形を防止し、前方及び後方への液漏れを防止することができる。
【００３３】
加えて、中間コア部２２が幅狭に構成されることから、低坪量部２５が受ける外力の大きさを低減させることができ、前方コア部２１及び後方コア部２３の圧縮変形をより確実に防止することができる。
【００３４】
また、低坪量部２５により外力が緩衝されることで、中間コア部２２の幅方向中央部に位置する高坪量部２４の変形も防止することができる。したがって、排泄領域と高坪量部２４との間に隙間ができることを防止し、前方及び後方に加えて、幅方向の液漏れも防止することができる。
【００３５】
以上のように、前方コア部２１及び後方コア部２３は、低坪量部２５によって、幅方向内方へ向かう外力の影響を受けにくくなる。
また、低坪量部２５の圧縮変形に伴う張力は、中間コア部２２と、前方コア部２１及び後方コア部２３との間の境界部Ｐ１，Ｐ２付近に特に作用しやすい。そこで、当該張力の影響をより低減させるため、境界部Ｐ１，Ｐ２付近に配置される各部を以下のように構成することができる。
【００３６】
なお、以下の説明において境界部Ｐ１とは、前方コア部２１及び中間コア部２２の間のいずれにも属さない部分をいい、境界部Ｐ２とは、後方コア部２３及び中間コア部２２の間のいずれにも属さない部分をいう。
【００３７】
また、図３に示すように、中間コア部２２ではコアラップシート３０が吸収性コア２０の幅方向端部よりも外側へ延びていて、折り返し部を有する構造となっている。当該部分には吸収性コア２０が存在しないので、中間コア部２２の低坪量部２５よりも剛性が低くなっており、幅方向外側から低坪量部２５へ向かう外力に対する緩衝領域となりうるので、上述した効果を一層高めることができる。
【００３８】
［高坪量部の長手方向端部の構成］
図４に示すように、高坪量部２４のうち境界部Ｐ１，Ｐ２に最も近接する長手方向端部２４ａ，２４ｂは、先端に向かって幅が漸減する形状を有する。これにより、中間コア部２２の境界部Ｐ１，Ｐ２に隣接する領域において、外力の緩衝領域として作用する低坪量部２５の占める割合を大きくすることができる。したがって、低坪量部２５による外力緩衝作用を高め、前方コア部２１及び後方コア部２３の不適切な形状への変形を効果的に防止することができる。
【００３９】
端部２４ａ，２４ｂは、円弧形状又は楕円弧形状を有していてもよい。これにより、端部２４ａ，２４ｂの先端における幅が０となるため、中間コア部２２の境界部Ｐ１，Ｐ２に隣接する領域における低坪量部２５の占める割合をより低くすることができ、低坪量部２５による外力緩衝作用をより高めることができる。
【００４０】
高坪量部２４の端部２４ａ，２４ｂの形状は、上記形状に限定されない。
図６は、高坪量部２４の長手方向端部２４ａ，２４ｂの構成例を模式的に示す平面図である。
例えば、図６Ａに示すように、端部２４ａ，２４ｂは、先端が鋭角の三角形状を有していてもよい。これによっても、端部２４ａ，２４ｂが先端に向かって幅が漸減する形状を有し、かつ、端部２４ａ，２４ｂの先端における幅が０となる。したがって、図４の端部２４ａ，２４ｂと同様の作用効果を得ることができる。
【００４１】
あるいは、図６Ｂに示すように、端部２４ａ，２４ｂは、先端に幅方向に沿った辺を含む台形状を有してもよいし、図６Ｃに示すように、角が丸い矩形状を有していてもよい。これらによっても、端部２４ａ，２４ｂが先端に向かって幅が漸減する形状を有し、低坪量部２５による外力緩衝作用を高めることができる。
なお、図６Ｄに示すように、端部２４ａ，２４ｂは、先端に向かって幅が漸減する形状を有さず、全体が略同一の幅の矩形状に構成されてもよい。
【００４２】
[前方コア部及び後方コア部のテーパ部の構成]
図４に示すように、前方コア部２１及び後方コア部２３は、境界部Ｐ１，Ｐ２に隣接して形成され、中間コア部２２に向かって幅が漸減するテーパ部２１ａ，２３ａをそれぞれ含む。テーパ部２１ａ，２３ａは、幅方向に平行な対称軸に関して線対称な形状である。
【００４３】
境界部Ｐ１，Ｐ２付近には、中間コア部２２の圧縮変形に伴って、長手方向（Ｘ軸方向）及び幅方向（Ｙ軸方向）に成分を有する張力が付加される。テーパ部２１ａ，２３ａを設けることにより、前方コア部２１及び後方コア部２３の境界部Ｐ１，Ｐ２に隣接する領域に、当該張力の影響を受けやすい幅方向外側に突出した部分を無くすことができる。したがって、当該張力によって前方コア部２１及び後方コア部２３の境界部Ｐ１，Ｐ２に隣接する部分が折り込まれる等の大きな変形が生じることを防止することができる。
【００４４】
図７は、テーパ部２１ａを示す拡大平面図である。同図において、後述する境界溝部２６、縦溝部２７、横溝部２８及び周縁溝部２９の図示は省略する。また、テーパ部２３ａの構成も同様であるため、図示及び説明を省略する。
テーパ部２１ａ（テーパ部２３ａ）の外縁線Ｌｔは、本実施形態において、長手方向に平行な軸に対して回転角θの方向に延びる直線で構成される。回転角θは、好ましくは２０度以上８０度以下であり、より好ましくは３０度以上７０度以下である。これにより、上記張力の方向と外縁線の方向の差異を小さくし、この張力の影響をより効果的に低減させることができる。
【００４５】
なお、テーパ部２１ａ，２３ａの外縁線は直線状に限定されず、曲線状でもよい。テーパ部２１ａ，２３ａの形状は、幅方向に平行な対称軸に関して非対称な形状でもよい。
【００４６】
［境界溝部の構成］
図４に示すように、吸収性コア２０は、前方コア部２１及び後方コア部２３の少なくとも一方と中間コア部２２との間に位置する境界溝部２６をさらに有する。すなわち境界溝部２６は、境界部Ｐ１，Ｐ２に位置している。境界溝部２６により、後述するように、低坪量部２５の変形を断ち切ることができる。
【００４７】
境界溝部２６には、吸収性コア２０の厚み方向の上面から下方に向かって沈み込む溝が形成されており、低坪量部２５より低い坪量を有する。坪量と厚みとは相関関係を有することから、吸収性コア２０において境界溝部２６が形成されている領域、すなわち境界溝部２６を形成する底部は、境界溝部２６が形成されていない低坪量部２５等と比較して相対的に厚みが薄くなっている。
【００４８】
境界溝部２６は、中間コア部２２の幅方向全長にわたって形成されている。あるいは、境界溝部２６は、中間コア部２２の幅方向の一部に形成されていてもよい。
また、境界溝部２６の幅や深さ（底部の厚み）は、後述する作用効果が得られるように適宜設定することができる。
【００４９】
境界溝部２６により、境界部Ｐ１，Ｐ２が低坪量で薄く形成される。このため、低坪量部２５を含む中間コア部２２が変形した場合、境界溝部２６により、当該変形に起因する張力が前方コア部２１及び後方コア部２３に伝搬することを防止することができる。したがって、低坪量部２５の変形に伴う前方コア部２１及び後方コア部２３の変形を抑制し、後方漏れ及び前方漏れをより効果的に防止することができる。
【００５０】
［縦溝部、横溝部及び周縁溝部の構成］
さらに、吸収性コア２０は、境界溝部２６の他にも低坪量の溝部を有している。
図４に示すように、吸収性コア２０は、縦溝部２７と、横溝部２８と、周縁溝部２９と、をさらに有する。縦溝部２７、横溝部２８及び周縁溝部２９には、吸収性コア２０の厚み方向の上面から下方に向かって沈み込む溝が形成されている。
【００５１】
縦溝部２７は、長手方向に沿って延び、幅方向に沿って間隔をあけて配列されている。縦溝部２７は、前方コア部２１、中間コア部２２及び後方コア部２３のそれぞれを幅方向に分割するように、長手方向の全長にわたって形成されている。
横溝部２８は、幅方向に沿って延び、長手方向に沿って間隔をあけて配列されている。横溝部２８は、前方コア部２１、中間コア部２２及び後方コア部２３のそれぞれを長手方向に分割するように、幅方向の全長にわたって形成されている。なお、本実施形態では、境界部Ｐ１，Ｐ２に形成される境界溝部２６は横溝部２８に含めない。
低坪量で変形しやすい縦溝部２７及び横溝部２８を設けることで、吸収性コア２０の柔軟性を高めることができる。また、縦溝部２７及び横溝部２８の内部に液を引き込むことで吸収性コア２０の液吸収速度を高めることができる。
【００５２】
周縁溝部２９は、高坪量部２４の長手方向外縁に沿って形成されている。低坪量で変形しやすい周縁溝部２９を設けることによって、高坪量部２４の周囲の変形が周縁溝部２９に吸収されるため、高坪量部２４が周囲の変形の影響を受にくくなる。
【００５３】
なお、縦溝部２７、横溝部２８及び周縁溝部２９の形状や配置などの構成は、図３，４に記載された構成に限定されず、吸収性コア２０の形状や要求される機能等に基づいて適宜設定される。また、ナプキン１では、吸収性コア２０が、縦溝部２７、横溝部２８及び周縁溝部２９のうち少なくとも一つを有していなくてもよい。
【００５４】
縦溝部２７及び横溝部２８及び周縁溝部２９の幅は、好ましくは、０．５ｍｍ以上１０ｍｍ以下であり、より好ましくは１ｍｍ以上５ｍｍ以下である。周縁溝部２９、縦溝部２７及び横溝部２８の深さは、例えば、０．５ｍｍ以上１０ｍｍ以下である。
【００５５】
また、中間コア部２２の縦溝部２７は、周縁溝部２９よりも幅が広いと、吸収性コアの排泄部に沿った変形を誘起し易くなるので好ましい。その場合、中間コア部２２の縦溝部２７の幅は、周縁溝部２９よりも０．５ｍｍ以上５ｍｍ以下大きいことが好ましく、１ｍｍ以上３ｍｍ以下大きいことがより好ましい。
【００５６】
［圧搾溝部の詳細な構成］
低坪量の各溝部とは異なり、図２及び図３に示す圧搾溝部１６は、表面シート１２から吸収性コア２０に向かって厚み方向に圧搾されることで溝が形成される。これにより、圧搾溝部１６の底部は、他の領域と比較して高い密度を有し、相対的に剛性が高くなるため、外力に対して変形しにくくなる。したがって、圧搾溝部１６は、ナプキン１に幅方向内方へ向かう外力が付加された場合、対をなす圧搾溝部１６間の領域を厚み方向上方に隆起させることができる。言い換えれば、圧搾溝部１６は、外力に対する変形領域を規定し、圧搾溝部１６の形状に応じた変形を誘導することができる。
そこで、圧搾溝部１６を以下のような構成とすることで、吸収性コア２０に対して所望の変形を誘導し、前方コア部２１及び後方コア部２３の不適切な変形を抑制することができる。
【００５７】
図８は、吸収性コア２０に形成された圧搾溝部１６の構成を示す平面図である。同図において、高坪量部２４、低坪量部２５、境界溝部２６、縦溝部２７、横溝部２８及び周縁溝部２９等の図示は省略する。
【００５８】
圧搾溝部１６は、前方圧搾溝部１６１と、中間圧搾溝部１６２と、後方圧搾溝部１６３とをそれぞれ有する。
中間圧搾溝部１６２は、中間コア部５２に形成され、長手方向に延びつつ幅方向外側に膨出する。一対の中間圧搾溝部１６２は、幅方向に相互に対向する。
前方圧搾溝部１６１は、中間圧搾溝部１６２の長手方向前方に位置し、長手方向に延びつつ幅方向外側に膨出する。一対の前方圧搾溝部１６１は、長手方向前端部において相互に連結する。
後方圧搾溝部１６３は、中間圧搾溝部１６２の長手方向後方に位置し、長手方向に延びつつ幅方向外側に膨出する。一対の後方圧搾溝部１６３は、長手方向後端部において相互に連結する。
【００５９】
本実施形態において、一対の圧搾溝部１６は、幅方向内方に向かって相互に近接する２対の括れ部１６ａ，１６ｂを有する。
括れ部１６ａは、中間圧搾溝部１６２と前方圧搾溝部１６１がそれぞれ接する部位として構成される。中間圧搾溝部１６２及び前方圧搾溝部１６１は、括れ部１６ａを起点に膨出する。
括れ部１６ｂは、中間圧搾溝部１６２と後方圧搾溝部１６３がそれぞれ接する部位として構成される。中間圧搾溝部１６２及び後方圧搾溝部１６３は、括れ部１６ｂを起点に膨出する。
【００６０】
上述のように、中間コア部２２に幅方向の外力が付加された場合、対をなす中間圧搾溝部１６２間の領域が厚み方向に隆起する。括れ部１６ａ，１６ｂでは、剛性の高い圧搾溝が幅方向内方に向かって走行するため、中間圧搾溝部１６２間の変形の長手方向前方及び後方への伝搬を断ち切ることができる。すなわち、括れ部１６ａ，１６ｂは、中間圧搾溝部１６２の間に形成され得る隆起の前端部及び後端部を規定する。
【００６１】
括れ部１６ａ，１６ｂは、本実施形態において、いずれも境界部Ｐ１，Ｐ２を含む境界領域Ｐ１０，Ｐ２０に形成される。
境界領域Ｐ１０とは、境界部Ｐ１を含む領域をいい、前方コア部２１の境界部Ｐ１に隣接する領域と、中間コア部２２の境界部Ｐ１に隣接する領域とを含む。同様に、境界領域Ｐ２０とは、境界部Ｐ２を含む領域をいい、後方コア部２３の境界部Ｐ２に隣接する領域と、中間コア部２２の境界部Ｐ２に隣接する領域とを含む。本実施形態では、境界領域Ｐ１０は、テーパ部２１ａから中間コア部２２の端部２４ａが形成される部分までを含む領域であるものとし、境界領域Ｐ２０は、テーパ部２３ａから中間コア部２２の端部２４ｂが形成されている部分までを含む領域であるものとする。
【００６２】
本実施形態の括れ部１６ａ，１６ｂは、いずれも境界領域Ｐ１０，Ｐ２０に位置するため、中間圧搾溝部１６２により誘導される変形を境界領域Ｐ１０，Ｐ２０にとどめ、当該変形が前方コア部２１及び後方コア部２３に伝搬されることを防止することができる。したがって、括れ部１６ａ，１６ｂにより、中間コア部２２に付加される幅方向の外力に起因して前方コア部２１及び後方コア部２３が変形することを防止することができる。
【００６３】
さらに、ナプキン１は、対をなす後方圧搾溝部１６３間に形成され、幅方向に延びる１又は複数の補助後方溝１６４を有していてもよい。補助後方溝１６４によって、後方コア部２３の形状を、所望の形状へ誘導することができる。
【００６４】
［本実施形態の追加説明］
以下、本実施形態の説明を補足する。
【００６５】
（吸収性コアの材料）
吸収性コア２０に含まれる親水性繊維としては、例えば、パルプ繊維、レーヨン繊維、コットン繊維、酢酸セルロース等のセルロース系の親水性繊維、ポリエチレン、ポリプロピレン等のポリオレフィン系繊維、ポリエステル、ポリアミド等の縮合系繊維等から選ばれる１種又は２種以上を用いることができる。
吸収性コア２０に含まれる吸水性ポリマーとしては、例えば、ポリアクリル酸ナトリウム、アクリル酸−ビニルアルコール共重合体、ポリアクリル酸ナトリウム架橋体、でんぷん−アクリル酸グラフト共重合体、イソブチレン−無水マレイン酸共重合体及びそのケン化物、ポリアスパラギン酸等から選ばれる１種又は２種以上を用いることができる。
【００６６】
（前方コア部及び後方コア部並びに高坪量部及び低坪量部の坪量）
前方コア部２１及び後方コア部２３の坪量は、好ましくは１００ｇ／ｍ２以上７００ｇ／ｍ２以下であり、より好ましくは１５０ｇ／ｍ２以上６２０ｇ／ｍ２以下である。
高坪量部２４の坪量は、好ましくは４００ｇ／ｍ２以上１０００ｇ／ｍ２以下であり、より好ましくは５００ｇ／ｍ２以上９００ｇ／ｍ２以下である。
低坪量部２５の坪量は、好ましくは９０ｇ／ｍ２以上６００ｇ／ｍ２以下であり、より好ましくは１４０ｇ／ｍ２以上５００ｇ／ｍ２以下である。
【００６７】
高坪量部２４の坪量は、前方コア部２１及び後方コア部２３の坪量よりも、５０ｇ／ｍ２以上大きいことが好ましく、１００ｇ／ｍ２以上大きいことがより好ましい。
低坪量部２５の坪量は、前方コア部２１及び後方コア部２３の坪量よりも、１０ｇ／ｍ２以上小さいことが好ましく、２０ｇ／ｍ２以上小さいことがより好ましい。
【００６８】
（吸収体の各部の坪量の測定方法）
測定対象である吸収性コア２０の各部を、フェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００６９】
（前方コア部及び後方コア部並びに高坪量部及び低坪量部の厚み）
上記各部の厚み方向の厚みは、坪量を考慮して設定することができる。
前方コア部２１及び後方コア部２３の厚みは、好ましくは２ｍｍ以上１２ｍｍ以下、より好ましくは３ｍｍ以上１０ｍｍ以下である。
高坪量部２４の厚みは、好ましくは３ｍｍ以上１５ｍｍ以下、より好ましくは５ｍｍ以上１３ｍｍ以下である。
低坪量部２５の厚みは、好ましくは２ｍｍ以上１０ｍｍ以下、より好ましくは３ｍｍ以上８ｍｍ以下である。
【００７０】
（吸収体の各部の厚みの測定方法）
測定対象である吸収体１１の厚みの測定は、各々の部位について坪量を測定するために切り出した小片の厚みを測定することで行う。吸収性物品より切り出した小片の測定部を５ｋＰａの圧力で１０分間加圧し、除重後すぐに測定を行う。除重後のサンプルの中央域に、大きさ２０ｍｍ×２０ｍｍ、厚み３ｍｍのアクリルプレートを吸収体３の上に置き、ＫＥＹＥＮＣＥ社製非接触式レーザー変位計（レーザーヘッドＬＫ−Ｇ３０、変位計ＬＫ−ＧＤ５００）を用い、サンプルの厚みを測定する。切り出した小片の大きさが小さく、非接触式レーザー変位計により測定し難い場合には、上記切断されたサンプルの断面を、例えば、マイクロスコープ（ＫＥＹＥＮＣＥ社製ＶＨＸ−１０００）を用いて２０〜１００倍の倍率で観察し、測定してもよい。
【００７１】
＜他の実施形態＞
低坪量部と高坪量部の配置は、低坪量部が外力に対する緩衝作用を効果的に発揮できればよく、例えば以下で説明するような配置でもよい。
【００７２】
図９は、本発明の他の実施形態に係るナプキン２の吸収性コア４０を模式的に示す平面図である。
なお、以下の説明において、上述の実施形態と同様の構成については同一の符号を付して説明を省略する。
【００７３】
ナプキン２の吸収性コア４０は、長手方向に相互に対向する前方コア部４１及び後方コア部４３と、前方コア部４１及び後方コア部４３の間に位置する中間コア部４２と、を有する。
【００７４】
中間コア部４２は、高坪量部４４と、低坪量部４５とを含む。図９では、高坪量部４４を高密度のドットパターンで示し、低坪量部４５を低密度のドットパターンで示している。
高坪量部４４は、前方コア部４１及び後方コア部４３、並びに低坪量部４５より高い坪量を有する。
低坪量部４５は、高坪量部４４、前方コア部４１及び後方コア部４３より低い坪量を有し、高坪量部２４の周囲を囲んで形成される。
【００７５】
高坪量部４４は、本実施形態において、中間コア部４２の長さＬ１よりも短い長さＬ２を有する。
これにより、高坪量部４４の端部４４ａ，４４ｂが境界部Ｐ１，Ｐ２から長手方向内側に離間して配置され、端部４４ａ，４４ｂの長手方向外側に低坪量部４５が位置することとなる。すなわち、低坪量部４５が、高坪量部４４の周囲を取り囲むように形成される。したがって、中間コア部４２における境界部Ｐ１，Ｐ２に隣接する領域の幅方向全長にわたって、低坪量部４５を配置することができる。
【００７６】
低坪量部４５は、第１の実施形態で説明したように、幅方向内方に向かう外力が付加された場合、大きく圧縮変形し、外力の緩衝領域として作用する。このため、中間コア部４２の境界部Ｐ１，Ｐ２に隣接する領域全体に低坪量部４５を設けることで、外力の緩衝作用を高め、前方コア部４１及び後方コア部４３の不適切な変形をより確実に防止することができる。したがって、前方コア部４１及び後方コア部４３における液漏れを防止することができる。
【００７７】
さらに、高坪量部４４及び低坪量部４５は、図１０に示すように配置されてもよい。
【００７８】
図１０Ａに示す例では、高坪量部４４及び低坪量部４５が前方コア部４１に進入して形成され、前方端部４４ａが前方コア部４１内に、後方端部４４ｂが中間コア部４２内に配置される。
図１０Ｂに示す例では、高坪量部４４及び低坪量部４５が後方コア部４３に進入して形成され、前方端部４４ａが中間コア部４２内に、後方端部４４ｂが後方コア部４３内に配置される。
【００７９】
これによっても、低坪量部４５が高坪量部４４の周囲に配置され、幅方向内方に向かう外力の緩衝領域として作用する。したがって、前方コア部４１及び後方コア部４３の不適切な変形を防止し、前方コア部４１及び後方コア部４３における液漏れを防止することができる。
【００８０】
なお、図１０Ａ，Ｂのように、高坪量部４４が前方コア部４１又は後方コア部４３にまで延在するケースでは、低坪量部４５の坪量と、前方コア部４１又は後方コア部４３の坪量とを、以下のように対比する。
高坪量部４４が前方コア部４１にまで延在するケースでは、高坪量部４４の長手方向端部４４ａを境界として、端部４４ａよりも前方の領域の坪量を前方コア部４１の坪量と定義し、この坪量を低坪量部４５の坪量と対比する。同様に、高坪量部４４が後方コア部４３にまで延在するケースでは、高坪量部４４の長手方向端部４４ｂを境界として、端部４４ｂよりも後方の領域の坪量を後方コア部４３の坪量と定義し、この坪量を低坪量部４５の坪量と対比する。
【００８１】
図１０の各実施形態のように、高坪量部２４が、中間コア部２２から前方コア部２１、後方コア部２３の少なくとも一方に延出する場合には、その延出部分の長手方向の長さが、前方コア部２１においては、前方コア部２１の長さの３０％以下、更には２０％以下であることが、後方コア部２３においては、後方コア部２３の長さの２０％以下、更には１０％以下であることが、良好な着用感とフィット感を得る上で好ましい。
【００８２】
以上、本発明の各実施形態について説明したが、本発明は上述の実施形態にのみ限定されるものではなく、本発明の要旨を逸脱しない範囲内において種々変更を加え得ることは勿論である。例えば本発明の実施形態は各実施形態を組み合わせた実施形態とすることができる。
【００８３】
吸収性コアの前方コア部及び後方コア部は、一方がテーパ部を有していてもよいし、図９及び図１０に示すように、いずれもテーパ部を有していていなくてもよい。
【００８４】
境界溝部は、前方コア部及び中間コア部の間にのみ形成されていてもよいし、後方コア部及び中間コア部の間にのみ形成されていてもよい。あるいは、吸収性コアが境界溝部を有さなくてもよい。
【００８５】
また、圧搾溝部の括れ部は、一対のみ、境界領域に形成されていてもよいし、３対以上の括れ部が境界領域に形成されていてもよい。あるいは、圧搾溝部が括れ部を有さなくてもよい。
【００８６】
以上の各実施形態では、吸収性物品として生理用ナプキンの例を示したが、これに限定されない。本発明の吸収性物品は、例えば、失禁パットやおりものシート、使い捨ておむつ等であってもよい。
【００８７】
上述した実施形態に関し、本発明はさらに以下の吸収性物品を開示する。
【００８８】
＜１＞  長手方向に相互に対向する前方コア部及び後方コア部と、前記前方コア部及び前記後方コア部の間に位置し前記前方コア部及び前記後方コア部よりも幅の狭い中間コア部と、を有する吸収性コアを具備し、前記中間コア部は、前記前方コア部及び前記後方コア部より高い坪量を有し、幅方向中央に形成された高坪量部と、前記前方コア部及び前記後方コア部より低い坪量を有し、前記高坪量部の周囲に形成された低坪量部と、を含む、吸収性物品。
＜２＞  前記＜１＞に記載の吸収性物品であって、前記高坪量部の前記長手方向端部は、先端に向かって幅が漸減する形状を有する、吸収性物品。
＜３＞  前記＜２＞に記載の吸収性物品であって、前記高坪量部の長手方向端部は、円弧形状又は楕円弧形状を有している、吸収性物品。
＜４＞  前記＜１＞から＜３＞のうちいずれか１に記載の吸収性物品であって、前記高坪量部は、前記長手方向に沿って前記中間コア部の長さ以下の長さを有し、前記低坪量部は、前記高坪量部の周囲を囲んで形成される、吸収性物品。
＜５＞  前記＜１＞から＜４＞のうちいずれか１に記載の吸収性物品であって、前記前方コア部及び前記後方コア部の少なくとも一方は、前記中間コア部との間の境界部に隣接して形成され前記中間コア部に向かって幅が漸減するテーパ部を有する、吸収性物品。
＜６＞  前記＜５＞に記載の吸収性物品であって、前記テーパ部の外縁線は、長手方向に平行な軸に対して回転角の方向に延びる直線で構成され、該回転角θは、２０度以上８０度以下であり、好ましくは３０度以上７０度以下である、吸収性物品。
＜７＞  前記＜１＞から＜６＞のうちいずれか１に記載の吸収性物品であって、前記吸収性コアは、前記低坪量部より低い坪量を有し、前記前方コア部及び前記後方コア部の少なくとも一方と前記中間コア部との間に位置する境界溝部をさらに有する、吸収性物品。
＜８＞  前記＜１＞から＜７＞のうちいずれか１に記載の吸収性物品であって、前記吸収性コア上に配置された表面シートと、前記表面シート及び前記吸収性コアに形成され、前記長手方向に延びて前記幅方向に相互に対向する一対の圧搾溝部とをさらに具備し、前記一対の圧搾溝部は、前記幅方向内方に向かって相互に近接し、前記前方コア部及び前記後方コア部の少なくとも一方と前記中間コア部との間の境界部を含む境界領域に形成された少なくとも一対の括れ部を有する、吸収性物品。
＜９＞  前記＜１＞から＜８＞のうちいずれか１に記載の吸収性物品であって、前記吸収性コアはコアラップシートで覆われており、前記中間コア部では前記コアラップシートが吸収性コアの幅方向端部よりも外側へ延びていて、折り返し部を有する構造となっている、吸収性物品。
＜１０＞  前記＜１＞から＜９＞のうちいずれか１に記載の吸収性物品であって、吸収性コアは、前記長手方向に向かって延び、幅方向に沿って間隔をあけて配列されている、周囲よりも低坪量である縦溝部を有する、吸収性物品。
＜１１＞  前記＜１０＞に記載の吸収性物品であって、前記縦溝部は、前方コア部、中間コア部及び後方コア部のそれぞれを幅方向に分割するように、長手方向の全長にわたって形成されている、吸収性物品。
＜１２＞  前記＜１０＞又は＜１１＞に記載の吸収性物品であって、前記縦溝部は前記中間コア部に設けられており、前記周縁溝部よりも幅が広い、吸収性物品。
＜１３＞  前記＜１２＞に記載の吸収性物品であって、前記中間コア部の縦溝部の幅は、前記周縁溝部よりも０．５ｍｍ以上５ｍｍ以下大きく、好ましくは１ｍｍ以上３ｍｍ以下大きい、吸収性物品。
＜１４＞  前記＜１＞から＜１３＞のうちいずれか１に記載の吸収性物品であって、吸収性コアは、幅方向に沿って延び、長手方向に沿って間隔をあけて配列されている、周囲よりも低坪量である横溝部を有する、吸収性物品。
＜１５＞  前記＜１４＞に記載の吸収性物品であって、前記横溝部は、前方コア部、中間コア部及び後方コア部のそれぞれを長手方向Ｘに分割するように、幅方向の全長にわたって形成されている。
＜１６＞  前記＜１＞から＜１５＞のうちいずれか１に記載の吸収性物品であって、前記中間コア部は、前記高坪量部の外縁に沿って周縁溝部を有する、吸収性物品。
＜１７＞  前記＜１０＞から＜１６＞のいずれか１に記載の吸収性物品であって、前記縦溝部、横溝部及び周縁溝部は、吸収性コアの厚み方向の上面から下方に向かって沈み込む溝である、吸収性物品。
＜１８＞  前記＜１０＞から＜１７＞のうちいずれか１に記載の吸収性物品であって、前記縦溝部、横溝部及び周縁溝部の幅は、０．５ｍｍ以上１０ｍｍ以下であり、好ましくは１ｍｍ以上５ｍｍ以下である、吸収性物品。
＜１９＞  前記＜１０＞から＜１８＞のうちいずれか１に記載の吸収性物品であって、前記縦溝部、横溝部及び前記周縁溝部の深さは、０．５ｍｍ以上１０ｍｍ以下である、吸収性物品。
＜２０＞  前記＜１＞から＜１９＞のうちいずれか１に記載の吸収性物品であって、前記高坪量部の長手方向中間部の幅は、１５ｍｍ以上６０ｍｍ以下であり、好ましくは２０ｍｍ以上５０ｍｍ以下である、吸収性物品。
＜２１＞  前記＜１＞〜＜２０＞のうちいずれか１に記載の吸収性物品であって、前記高坪量部の坪量は、４００ｇ／ｍ２以上１０００ｇ／ｍ２以下であり、好ましくは５００ｇ／ｍ２以上９００ｇ／ｍ２以下である、吸収性物品。
＜２２＞  前記＜１＞〜＜２１＞のうちいずれか１に記載の吸収性物品であって、前記低坪量部の坪量は、９０ｇ／ｍ２以上６００ｇ／ｍ２以下であり、好ましくは１４０ｇ／ｍ２以上５００ｇ／ｍ２以下である、吸収性物品。
＜２３＞  前記＜１＞〜＜２２＞のうちいずれか１に記載の吸収性物品であって、前記前方コア部及び前記後方コア部の幅が、６０ｍｍ以上１００ｍｍ以下であり、好ましくは７０ｍｍ以上９０ｍｍ以下である、吸収性物品。
＜２４＞  前記＜１＞〜＜２３＞のうちいずれか１に記載の吸収性物品であって、前記前方コア部及び後方コア部２３の厚みは、２ｍｍ以上１２ｍｍ以下であり、好ましくは３ｍｍ以上１０ｍｍ以下であるである、吸収性物品。
＜２５＞  前記＜１＞〜＜２４＞のうちいずれか１に記載の吸収性物品であって、前記前方コア部及び前記後方コア部の坪量は、１００ｇ／ｍ２以上７００ｇ／ｍ２以下であり、好ましくは１５０ｇ／ｍ２以上６２０ｇ／ｍ２以下である、吸収性物品。
＜２６＞  前記＜１＞〜＜２５＞のうちいずれか１に記載の吸収性物品であって、前記中間コア部の幅は、４０ｍｍ以上７５ｍｍ以下であり、好ましくは５０ｍｍ以上７０ｍｍ以下である、吸収性物品。
＜２７＞  前記＜１＞〜＜２４＞のうちいずれか１に記載の吸収性物品であって、前記中間コア部の長手方向の長さは、６０ｍｍ以上１７０ｍｍ以下、好ましくは８０ｍｍ以上１６０ｍｍ以下である、吸収性物品。
＜２８＞  生理用ナプキンである、前記＜１＞〜＜２７＞のうちいずれか１に記載の吸収性物品。
【符号の説明】
【００８９】
１，２…吸収性物品（生理用ナプキン、ナプキン）
１１…吸収体
１２…表面シート
１３…裏面シート
１６…圧搾溝部
１６ａ，１６ｂ…括れ部
２０，４０…吸収性コア
２１，４１…前方コア部
２２，４２…中間コア部
２３，４３…後方コア部
２４，４４…高坪量部
２４ａ，２４ｂ，４４ａ，４４ｂ…端部（長手方向端部）
２５，４５…低坪量部
２６…境界溝部
２１ａ，２３ａ…テーパ部
３０…コアラップシート
Ｐ１，Ｐ２…境界部
Ｐ１０，Ｐ２０…境界領域
【図１】
2019103710.tif 000003
【図２】
2019103710.tif 000004
【図３】
2019103710.tif 000005
【図４】
2019103710.tif 000006
【図５】
2019103710.tif 000007
【図６】
2019103710.tif 000008
【図７】
2019103710.tif 000009
【図８】
2019103710.tif 000010
【図９】
2019103710.tif 000011
【図１０】
2019103710.tif 000012